(57)【要約】【課題】拾集した平坦物の詰まりを防ぐことができ、特別の駆動源を必要としない、床上の平坦物拾集装置を提供すること。【解決手段】拾集装置（１１）は、手押しで移動するフレーム（１３）と、フレームに掛け渡した、平坦物を搬送する無端ベルト（１５）と、フレームの前進移動によって回転され、その回転力を無端ベルトに伝えて無端ベルトを駆動する駆動ローラ（１７）と、フレームの前方端部に取り付けた、床と接して平坦物を無端ベルトに送る拾集ローラ（１９）と、無端ベルトの後方端部から落下する平坦物を受け入れる収納ボックス（２１）とを備える。【選択図】　　　図１
2004141454.tif 000002
【特許請求の範囲】
【請求項１】
手押しで移動するフレームと、
このフレームに掛け渡した、平坦物を搬送する無端ベルトと、
前記フレームの前進移動によって回転され、その回転力を前記無端ベルトに伝えて無端ベルトを駆動する駆動ローラと、
前記フレームの前方端部に取り付けた、床と接して平坦物を前記無端ベルトに送る拾集ローラと、
前記無端ベルトの後方端部から落下する平坦物を受け入れる収納ボックスと、を備える
ことを特徴とする、床上の平坦物拾集装置。
【請求項２】
前記フレームは移動用の車輪を備えており、
前記駆動ローラは、前記車輪とは別個に設けられ、一方向クラッチを介して前記車輪に連結されている
ことを特徴とする、請求項１に記載の床上の平坦物拾集装置。
【請求項３】
前記フレームは、前記駆動ローラと相俟って前記無端ベルトを挟む押えローラを備える
ことを特徴とする、請求項１または２に記載の床上の平坦物拾集装置。
【発明の詳細な説明】
【０００１】
【発明の属する技術分野】
この発明は床上の平坦物拾集装置に関し、特に、パチンコホールやスロットホール、ゲームセンター等において床上に落ちているメダル、硬貨、カードのような平坦物を拾集する装置に関する。
【０００２】
【従来の技術】
回収したメダル等を一時的に溜めておく回収トレイを備え、この回収トレイに、メダル等の取入口となる拾集口を設けると共に、この拾集口に回動腕を介して回動自在に支持されるローラユニット及びさらい片を配置した、メダル等の拾集装置がある（特許文献１参照）。
また、フレームに無端ベルトを掛け渡し、この無端ベルトを利用してパチンコ玉を収拾する装置も提案されている（特許文献２、特許文献３参照）。
【０００３】
【特許文献１】
実開平５―１３４９１号公報（６―８頁）
【特許文献２】
特開平９―６６１６４号公報（３―５頁）
【特許文献３】
登録実用新案第３００１８９４号公報（５―８頁）
【０００４】
【発明が解決しようとする課題】
特許文献１に記載されたメダル等の拾集装置では、ローラユニット及びさらい片で拾集したメダル等を後方に配置した区画板に載せ、この区画板上に先に載ったメダル等を後から載るメダル等で押し出して区画板の後方に配置した収納部に入れるところ、メダル等の押出し力が小さいため、区画板上でメダル等が詰まってしまうおそれがある。
【０００５】
一方、特許文献２及び特許文献３に記載された拾集装置によれば、無端ベルトを使用してパチンコ玉を強制的に搬送するため、詰まるおそれはない。ところが、無端ベルトを磁気ベルトにしたり（特許文献２）、無端ベルトを支えるローラとして磁気ローラを使用したり（特許文献３）など、被拾集物が磁気を帯びうるパチンコ玉などに限定されている。加えて、両特許文献に記載された拾集装置では、無端ベルトを駆動するための電動機のような駆動源を必要とし、そのための電源コードが不可欠であるため、作業時に電源コードを引き回さなければならず、狭いパチンコホールなどでの使用には不都合である。
【０００６】
【課題を解決するための手段】
本発明は、被拾集平坦物が磁気を帯びうるか否かに関係なく拾集でき、拾集した平坦物の詰まりを防ぐことができ、特別の駆動源を必要としない、床上の平坦物拾集装置を提供することを課題とする。この課題を解決するため、本発明者は、手押しでフレームを移動するとき、その移動に伴って得られる回転力を利用することに着目して本発明を完成した。発明の詳しい内容については項を改めて説明する。なお、いずれかの請求項に記載した発明について行う用語の定義などは、発明の性質に反しない限り、別の請求項に記載した発明にも適用されるものとする。
【０００７】
（請求項１に記載した発明の構成）
請求項１に記載した発明に係る床上の平坦物拾集装置（以下、請求項１の拾集装置という）は、手押しで移動するフレームと、このフレームに掛け渡した、平坦物を搬送する無端ベルトと、前記フレームの前進移動によって回転され、その回転力を前記無端ベルトに伝えて無端ベルトを駆動する駆動ローラと、前記フレームの前方端部に取り付けた、床と接して平坦物を前記無端ベルトに送る拾集ローラと、前記無端ベルトの後方端部から落下する平坦物を受け入れる収納ボックスと、を備えることを特徴とする。
【０００８】
フレームは、移動用の車輪を備える形態、又はソリのように車輪を備えない形態とすることができる。無端ベルトは、ゴム、布その他の、十分に撓むことができる材料で作り、搬送面が上下に間隔をおくように、かつ、無端ベルトの全体が前方から後方へ向けて上向き傾斜状となるように、一対の支持ローラによって支持する。無端ベルトの搬送面は、この搬送面に載った平坦物が滑らない程度の摩擦係数を有する。換言すると、無端ベルトの搬送面の摩擦係数は、無端ベルトの傾斜角度及び平坦物の性状に関して相対的に定まる。無端ベルトを、例えば布で作る場合、その搬送面の摩擦係数が大きくなるように、搬送面に樹脂又はゴムの多数の凹凸を付着することができる。駆動ローラは、フレームが移動用の車輪を備える場合にはその車輪によって回転できるようにし、フレームが車輪を備えない場合には駆動ローラが直接床と接して回転できるようにする。後者の場合、駆動ローラは移動用の車輪を兼ねる。駆動ローラは、無端ベルトと接して無端ベルトに回転力を伝えるところ、無端ベルトに十分な回転力を伝えるためには、別の押え手段と相俟って無端ベルトを挟むことが好ましい。押え手段は、フレームに回転可能に支持される押えローラの他、フレームに取り付ける補強用リブ、無端ベルトを支持する一対の支持ローラのうち下方に位置する支持ローラとすることができる。拾集ローラは、床上にある平坦物を無端ベルトに送ることができる程度に大きな、床との接触面及び接触圧を持ち、フレームの移動により自転するもので、平坦物をはね上げて無端ベルトに送るタイプとすることが好ましい。収納ボックスは、平坦物を例えば底部から放出できるように形成するか、又はフレームに着脱可能に形成する。後者の場合には、平坦物は、収納ボックスをフレームから外し、引っ繰り返して放出する。
【０００９】
（請求項１に記載した発明の作用効果）
請求項１の拾集装置によれば、フレームを手押しで前進移動すると、駆動ローラが回転し、その回転力を無端ベルトに伝えて無端ベルトを強制駆動する。したがって、拾集ローラから送られた平坦物は無端ベルトによって強制的に搬送されることとなり、平坦物が詰まるおそれはない。また、無端ベルトを駆動するための電動機が不要であり、電源コードが不要であることから、電源コードの引き回しに伴う不都合は生じない。拾集した平坦物が収納ボックスに入るので、床上の平坦物を手で拾うような煩雑な拾集作業が不要である。
【００１０】
（請求項２に記載した発明の構成）
請求項２に記載した発明に係る床上の平坦物拾集装置（以下、請求項２の拾集装置という）は、請求項１の拾集装置に限定が加わり、前記フレームは移動用の車輪を備えており、前記駆動ローラは、前記車輪とは別個に設けられ、一方向クラッチを介して前記車輪に連結されていることを特徴とする。一方向クラッチは、フレームが前進移動するとき、車輪から駆動ローラに回転力が伝わるが、フレームが後進移動するとき、車輪から駆動ローラに回転力が伝わらないように、駆動ローラと係合する。
【００１１】
（請求項２に記載した発明の作用効果）
請求項２の拾集装置によれば、フレームが後進移動するとき回転力が駆動ローラに伝わらないため、無端ベルトが逆回転することがない。その結果、無端ベルトに送られ、無端ベルトの中間に留まっていた平坦物が、後進移動のとき、床上に落下するのを防ぐことができる。また、車輪と駆動ローラとが別個に設けられていることから、車輪及び駆動ローラを、それぞれの機能を果たすのに最適な形状や大きさ、性状を選定して作ることが容易である。
【００１２】
（請求項３に記載した発明の構成）
請求項３に記載した発明に係る床上の平坦物拾集装置（以下、請求項３の拾集装置という）は、請求項１または２の拾集装置に限定が加わり、前記フレームは、前記駆動ローラと相俟って前記無端ベルトを挟む押えローラを備えることを特徴とする。押えローラはフレームに回転可能に取り付ける。その取付の際、ばねによって無端ベルトに向けて偏倚する構造、つまり付勢する構造としたり、無端ベルトに近づき、また無端ベルトから離れるように位置の調整可能な構造としたり、フレームに固定的に取り付ける構造としたりすることができる。
【００１３】
（請求項３に記載した発明の作用効果）
請求項３の拾集装置によれば、押えローラと駆動ローラとの協働によって無端ベルトを挟み、無端ベルトを確実に駆動することができる。また、押えローラの位置や大きさなどを、駆動ローラとの相対関係のみを考慮して定めることができる。押えローラを備えない場合、駆動ローラとフレームの補強用リブとによって、又は駆動ローラと無端ベルトの支持ローラとによって無端ベルトを挟むことができるが、これでは駆動ローラの位置や大きさが制約を受ける。請求項３の拾集装置によれば、このような制約は生じない。
【００１４】
【発明の実施の形態】
以下、図面を参照して本発明の実施の形態について詳しく説明する。図１は、平坦物拾集装置の側面図である。図２は、図１に示す平坦物収集装置の平面図である。
【００１５】
（拾集装置の構成）
図１及び２に示すように、床上の平坦物拾集装置１１は、フレーム１３と、無端ベルト１５と、駆動ローラ１７と、拾集ローラ１９と、収納ボックス２１と、を備える。
【００１６】
（フレームの詳細）
フレーム１３は手押しで移動するように形成する。図示の実施形態では、フレーム１３は、平面形状が長方形状を呈している枠体２３を有する。枠体２３は、連結部分２３ａと、連結部分２３ａの前方にある前方部分２３ｂと、連結部分２３ａの後方にある後方部分２３ｃとからなる。前方部分２３ｂは連結部分２３ａから前方へ向けて斜め上向きに延び、また後方部分２３ｃは連結部分２３ａから後方へ向けて斜め上向きに延びるように配置してあり、前方部分２３ｂと後方部分２３ｃとは連結部分２３ａを介して結合されている。その結合は、前方部分２３ｂと後方部分２３ｃとを剛結合する他、前方部分２３ｂが後方部分２３ｃに対して揺動するように結合することができる。前方部分２３ｂは、後述する拾集ローラ１９を取り付ける。そのためには、拾集ローラ１９の大きさと連結部分２３ａの位置によって、図示のような上向きの他、実質的に水平としたり、下向きとすることができる。一方、後方部分２３ｃは、後方部分２３ｃの後端に設けるハンドル２５の高さが人の手をあてがうのに都合の良い高さとなるように、傾斜を定める。
【００１７】
フレーム１３は、図示の実施形態では、移動用の一対の車輪２７，２７を備える。車輪２７，２７は支持ロッド２７ｂに固着されており、支持ロッド２７ｂは、枠体２３の両側面から下方へ向けて突出している一対のブラケット２７ａ，２７ａに回転可能に支持されている。
【００１８】
（無端ベルトの詳細）
平坦物を搬送する無端ベルト１５は、フレーム１３に掛け渡す。図示の実施形態では、枠体２３の連結部分２３ａと枠体２３の後方部分２３ｃの中間とに配置した一対の軸２９によって支持ローラ３１，３１が回転可能に支持され、無端ベルト１５が一対の支持ローラ３１，３１に支持されている。無端ベルト１５を枠体２３に取り付けるため、一対の軸２９を枠体２３に着脱可能に形成する。例えば、各軸２９の両端部分にそれぞれ対向する枠体２３の部分に、軸２９の端部が入る半円弧状の軸受を取り付けておく。軸受は、枠体２３の上方から軸２９を受け入れ、また上方へ軸２９を抜き取ることができる。無端ベルト１５の搬送面１５ａには、複数の突起１５ｂ，１５ｂ，・・を等間隔をおいて配置してある。複数の突起１５ｂ，１５ｂ，・・は、無端ベルト１５の幅方向へ、その全幅に渡って延ばすことが好ましく、突起１５ｂ，１５ｂ・・によって平坦物が滑るのを防ぐことができる。
【００１９】
（駆動ローラの詳細）
駆動ローラ１７は、フレーム１３の前進移動によって回転され、その回転力を無端ベルト１５に伝えて無端ベルトを駆動する。図示の実施形態では、駆動ローラ１７は、車輪２７，２７とは別個に設けられ、それ自体公知の構造の図示しない一方向クラッチを介して車輪２７，２７に連結されている。すなわち、駆動ローラ１７に一方向クラッチを内臓すると共に、支持ロッド２７ｂと一方向クラッチとを係合し、車輪２７が図１の矢印Ａに向けて前進回転するとき、駆動ローラ１７に回転力が伝わるが、車輪２７が後進回転するとき、駆動ローラ１７に回転力が伝わらないようにする。駆動ローラ１７は、無端ベルト１５の下方において搬送面１５ａと接しており、車輪２７から矢印Ａへ向いた回転力を受けると、無端ベルト１５を矢印Ｂへ向けて強制移動させる。
【００２０】
（押えローラの詳細）
図示の実施形態では、フレーム１３は、駆動ローラ１７と相俟って無端ベルト１５を挟む押えローラ３３を備える。押えローラ３３は、図１の拡大図に示すように、枠体２３に回転可能に支持させて無端ベルト１５間に配置したとき、無端ベルト１５の摺動面１５ｃに、押えローラ３３の実質的に直径上にある２箇所で接する大きさとすることが好ましい。これによって、押えローラ３３は、一方では駆動ローラ１７と相俟って無端ベルト１５を挟み、他方では無端ベルト１５を下側から支える機能を果たす。
【００２１】
（拾集ローラの詳細）
拾集ローラ１９は、フレーム１３の前方端部に取り付けられ、床Ｆと接して平坦物Ｐを無端ベルト１５に送る。図示の実施形態では、拾集ローラ１９は、枠体２３の前方部分２３ｂの端部に配置した軸３５に回転可能に支持されており、外周面から半径方向の外方へ向けて突出する可撓性の複数のブレード１９ａ，１９ａ，・・を、円周方向に等間隔をおいて有する。これらブレード１９ａ，１９ａ，・・は板状のゴム製であり、床Ｆと接して平坦物Ｐを跳ね上げる。枠体２３の前方部分２３ｂを連結部分２３ａに固定的に結合する場合、拾集ローラ１９は実質的に同じ姿勢で床Ｆと接する。これに対して、枠体２３の前方部分２３ｂを連結部分２３ａに揺動可能に取り付ける場合、拾集ローラ１９は、床Ｆの凹凸に応じて揺動し、異なる姿勢で床Ｆと接する。後者の場合、拾集ローラ１９の重力によって、又は前方部分２３ｂを下方へ向けて偏倚するばねと拾集ローラ１９の重力とによって、拾集ローラ１９が床Ｆ上にある平坦物Ｐを無端ベルト１５に送ることができる程度に拾集ローラ１９を床Ｆと接触させる。
【００２２】
（収納ボックスの詳細）
収納ボックス２１は、無端ベルト１５の後方端部から落下する平坦物Ｐを受け入れるべく、フレーム１３に取り付けられている。図示の実施形態では、収納ボックス２１は、フレーム１３に渡した補強用リブ３７，３９に引っ掛けることができるフック２１ａ，２１ｂと、把持ロッド２１ｃとを有する。収納ボックス２１は硬質樹脂を成形して作ることができる。
【００２３】
片手で把持ロッド２１ｃを持ち、別の手で収納ボックス２１のその他の部分を支えながら、図１に示した装着状態から収納ボックス２１を持ち上げ、収納ボックス２１を後方へ、つまり図１において右方へ運ぶと、収納ボックス２１はフレーム１３から離れる。逆に、収納ボックス２１をフレーム１３に装着するには、フック２１ａ，２１ｂがリブ３７，３９より高くなる位置で収納ボックス２１を前方へ運び、収納ボックス２１がリブ３７，３９に突き当たったとき、収納ボックス２１を下に降ろすと、フック２１ａ，２１ｂがリブ３７，３９に引っ掛かる。
【００２４】
（拾集装置の別の実施形態）
図示の実施形態では、拾集装置１１は、拾集ローラ１９の後方に配置した、ごみを受け入れるごみ箱４１を備えている。ごみ箱４１の天井部は図２の拡大図に示したパンチングメタル４３で覆われている。パンチングメタル４３に開けた孔は、拾集装置１１で拾集しようとする平坦物、例えば、スロット機で使用するメダルより小さい。したがって、拾集ローラ１９で送られたメダルはパンチングメタル４３を通り過ぎるが、ごみはごみ箱４１に落下する。ごみ箱４１は着脱可能であることが好ましい。そのためには、パンチングメタル４３を枠体２３の前方部分２３ｂに着脱可能とし、さらに、パンチングメタル４３とごみ箱４１を着脱可能にするか、パンチングメタル４３を枠体２３の前方部分２３ｂに固定的に取り付け、ごみ箱４１をパンチングメタル４３に着脱可能にする。後者の場合、ごみ箱４１を図１の紙面に垂直な方向へ引き出し可能な引出しタイプとすることもできる。
【００２５】
（拾集装置の作用）
拾集装置１１を使用して平坦物を拾集する際、フレーム１３の枠体２３に設けたハンドル２５を手で持って押すと、拾集装置１１は床Ｆ上を前進移動する。移動に伴い、拾集ローラ１９が自転し、駆動ローラ１７が車輪２７の回転力を受けて回転し、無端ベルト１５を強制駆動する。拾集ローラ１９のブレード１９ａが平坦物Ｐを跳ね上げると、ごみも一緒に跳ね上げられる。ごみはごみ箱４１に落ち、平坦物Ｐは無端ベルト１５によって搬送され、収納ボックス２１に落下する。収納ボックス２１内の平坦物Ｐが多くなったとき、拾集装置１１を止め、収納ボックス２１をフレーム１３から外して平坦物Ｐを取り出す。また、ごみ箱４１内のごみを処理する。拾集装置１１を引っ張って後進移動させたとき、車輪２７からの回転力が駆動ローラ１７に伝わらないため、無端ベルト１５は強制駆動されない。このとき、拾集ローラ１９は逆回転する。
【００２６】
【発明の効果】
本発明によれば、拾集した平坦物の詰まりを防ぐことができ、電源コードを引き回す不都合を解消でき、磁気とは関係なく平坦物を拾集できる。
【図面の簡単な説明】
【図１】平坦物拾集装置の側面図である。
【図２】図１に示す平坦物拾集装置の平面図である。
【符号の説明】
１１　　　　　　床上の平坦物拾集装置
１３　　　　　　フレーム
１５　　　　　　無端ベルト
１５ａ　　　　　搬送面
１５ｂ　　　　　突起
１５ｃ　　　　　摺動面
１７　　　　　　駆動ローラ
１９　　　　　　拾集ローラ
１９ａ　　　　　ブレード
２１　　　　　　収納ボックス
２１ａ，２１ｂ　フック
２１ｃ　　　　　把持ロッド
２３　　　　　　枠体
２３ａ　　　　　連結部分
２３ｂ　　　　　前方部分
２３ｃ　　　　　後方部分
２５　　　　　　ハンドル
２７　　　　　　車輪
２７ａ　　　　　ブラケット
２７ｂ　　　　　支持ロッド
２９、３５　　　軸
３１　　　　　　支持ローラ
３３　　　　　　押えローラ
３７、３９　　　リブ
４１　　　　　　ごみ箱
４３　　　　　　パンチングメタル
Ｆ　　　　　　　床
Ｐ　　　　　　　平坦物
【図１】
2004141454.tif 000003
【図２】
2004141454.tif 000004